(57)【要約】【課題】一度開封した後に再び密閉することが可能な包装袋を提供する。【解決手段】本発明に係る包装袋Ａは、互いに向かい合う第１および第２のパネル１，２を備えており、上記第１および第２のパネル１，２が、その上端縁および左右の両端縁８ａ，８ｂにおいて連結されて袋状に形成されており、第１および第２のパネル１，２の下端側からその内部に複数の物品を収納可能であり、第１のパネル１の上端縁と第２のパネル２の上端縁とは、下端側に向けて折り込まれた折り込み部１１によって連結されており、折り込み部１１は、第１のパネル１の上端縁とつながる第３のパネル３と、第２のパネル２の上端縁とつながる第４のパネル４とからなり、第３のパネル３の袋内部側には、雌ファスナ５ｂが設けられており、第１のパネル１の袋内部側には、雌ファスナ５ｂと嵌合する雄ファスナ５ａが設けられていることを特徴とする。【選択図】  図２
2008143579.tif 000002
【特許請求の範囲】
【請求項１】
互いに向かい合う第１および第２のパネルを備えており、
上記第１および第２のパネルが、その上端縁および左右の両端縁において連結されて袋状に形成されており、上記第１および第２のパネルの下端側からその内部に複数の物品を収納可能な包装袋であって、
上記第１のパネルの上端縁と上記第２のパネルの上端縁とは、上記下端側に向けて折り込まれた折り込み部によって連結されており、
上記折り込み部は、上記第１のパネルの上端縁とつながる第３のパネルと、上記第２のパネルの上端縁とつながる第４のパネルとからなり、
上記第３のパネルの上記包装袋内部側には、雄ファスナまたは雌ファスナが設けられており、
上記第１のパネルの上記包装袋内部側には、上記第３のパネルの袋内部側に設けられた上記雄ファスナまたは雌ファスナと嵌合する雌ファスナまたは雄ファスナが設けられていることを特徴とする包装袋。
【請求項２】
上記第１のパネルの上記雌ファスナまたは雄ファスナが設けられた部位と上記第１のパネルの上端との間と、上記第３のパネルの上記雄ファスナまたは雌ファスナが設けられた部位と上記第３のパネルの上端との間との少なくともいずれか一方に、切り開き手段が形成されている、請求項１に記載の包装袋。
【請求項３】
上記第３のパネルと上記第４のパネルとの間において、その両端が、上記第１および第２のパネルの左右の両端縁における連結部に接着されている帯状のフィルムからなる手提げ部が設けられている、請求項１または２に記載の包装袋。
【発明の詳細な説明】
【技術分野】
【０００１】
本発明は、トイレットペーパや米などの長期間保管しておく必要がある物品を収納する包装袋に関わる。
【背景技術】
【０００２】
このようなトイレットペーパなどを収容する袋としては、たとえば、特許文献１に記載されているように、ポリエチレン等のフィルムを図１１に示すような形状に形成したものが用いられていた。図１１に示す包装袋Ｘは、第１のパネル９１と、第２のパネル９２とを有しており、第１のパネル９１の上端縁と第２のパネル９２の上端縁とが接合され手提げ部９７が形成されている。また、第１のパネル９１の下端と第２のパネル９２の下端とが接合されている。さらに、第１のパネル９１および第２のパネル９２の左右の側縁同士はそれぞれ所定の大きさのフィルムによって連結されている。包装袋Ｘは密閉状態でトイレットペーパＢを収容している。
【０００３】
このような包装袋Ｘを開封するには、手提げ部９７において、第１のパネル９１と第２のパネル９２とを切り離したり、第１のパネル９１の一部か第２のパネル９２の一部を破ったりする必要があった。また、予めミシン目などが加工されている場合などは、そのミシン目で切り開くことで開封することができる。いずれにしても、従来において、このように開封した後は、開封したまま置いておくか、ゴムバンドなどで開封部分を締めるかであった。
【０００４】
しかしながら、トイレットペーパＢは、一般的に１つの包装袋Ｘに複数個収容されており、最初に開封した際にすべてを使うわけではなく、使わなかった分を一定期間保管する場合がほとんどである。このため、包装袋Ｘにおいては、１度開封すると再度密閉できないので、保管中に包装袋Ｘ内に湿気、ほこり、虫などが入り込んでしまい、包装袋Ｘ内に残っているトイレットペーパＢの品質が低下する問題があった。
【０００５】
【特許文献１】特開２００５−１６６９号公報
【発明の開示】
【発明が解決しようとする課題】
【０００６】
本発明は上記の事情によって考え出されたものであり、一度開封した後に再び密閉することが可能な包装袋の提供を課題としている。
【課題を解決するための手段】
【０００７】
上記の課題を解決するため、本発明では、次の技術的手段を採用した。
【０００８】
本発明に係る包装袋は、互いに向かい合う第１および第２のパネルを備えており、上記第１および第２のパネルが、その上端縁および左右の両端縁において連結されて袋状に形成されており、上記第１および第２のパネルの下端側からその内部に複数の物品を収納可能な包装袋であって、上記第１のパネルの上端縁と上記第２のパネルの上端縁とは、上記下端側に向けて折り込まれた折り込み部によって連結されており、上記折り込み部は、上記第１のパネルの上端縁とつながる第３のパネルと、上記第２のパネルの上端縁とつながる第４のパネルとからなり、上記第３のパネルの上記包装袋内部側には、雄ファスナまたは雌ファスナが設けられており、上記第１のパネルの上記包装袋内部側には、上記第３のパネルの袋内部側に設けられた上記雄ファスナまたは雌ファスナと嵌合する雌ファスナまたは雄ファスナが設けられていることを特徴とする。
【０００９】
このような構成によると、上記雄ファスナおよび上記雌ファスナが露出するように、第１のパネルの上端縁または上記第３のパネルの上端縁を切り取り、上記雄ファスナと上記雌ファスナとを引き離すことで、この包装袋を開封することができる。さらに、一度開封した後も、上記雄ファスナと上記雌ファスナとを嵌合させることで、再び密閉状態にすることが可能である。また、上記包装袋は、上記折り込み部を有しているので上記第１のパネルと上記第２のパネルとの間隔を広げ、上記包装袋の容量を拡大することができる。
【００１０】
好ましい実施の形態においては、上記第１のパネルの上記雌ファスナまたは雄ファスナが設けられた部位と上記第１のパネルの上端との間と、上記第３のパネルの上記雄ファスナまたは雌ファスナが設けられた部位と上記第３のパネルの上端との間との少なくともいずれか一方に、切り開き手段が形成されている。このような構成によると、上記雄ファスナおよび上記雌ファスナを露出させることが容易となり、この包装袋を最初に開封する際の作業が簡単になる。
【００１１】
また、さらに好ましい実施の形態においては、上記第３のパネルと上記第４のパネルとの間において、その両端が、上記第１および第２のパネルの左右の両端縁における連結部に接着されている帯状のフィルムからなる手提げ部が設けられている。このような構成によると、この包装袋を持ち運びやすくすることができる。
【００１２】
本発明のその他の特徴および利点は、図面を参照して以下に行う詳細な説明から、より明らかとなろう。
【発明を実施するための最良の形態】
【００１３】
本発明に係る包装袋の実施形態の一例を図１および図２に示す。図１は包装袋Ａの正面図であり、図２は図１のII-II線に沿う断面図である。図１および図２によると、この包装袋Ａは、第１のパネル１、第２のパネル２、折り込み部１１、雄ファスナ５ａ、雌ファスナ５ｂ、２つのミシン目６、および、手提げ部７を備えて構成されている。第１のパネル１と、第２のパネル２と、折り込み部１１とは、一枚の合成樹脂製フィルムを折り曲げて形成されている。さらに、図３には包装袋Ａに物品の一例にあたるトイレットペーパＢを収容した状態を斜視図で示している。図４は、図３のIV-IV線に沿う断面図であり、図５には、ミシン目６を切った状態を示している。また、図６には手提げ部７の使用例を示している。
【００１４】
第１のパネル１と第２のパネル２とは、互いに向かい合うように配置されており、図１における左側縁８ａおよび右側縁８ｂにおいて接着されている。したがって包装袋Ａの左右は封止されている。また、図２においては、第１のパネル１および第２のパネル２の下端同士は接合されておらず、封入口９が形成されている。第１のパネル１には、雄ファスナ５ａとミシン目６とが設けられている。
【００１５】
折り込み部１１は、第１のパネル１の上端縁とつながる第３のパネル３と、第２のパネル２の上端縁とつながる第４のパネル４とで構成されている。第３のパネル３と第４のパネル４とは、折り込み部１１の最下部である谷部１１ａにおいてつながっている。なお、第３のパネル３と第１のパネル１との連結部分を頂角部１０とする。
【００１６】
雄ファスナ５ａは、第１のパネル１の包装袋Ａ内部側の上端付近に形成されている。一方、雄ファスナ５ａと嵌合する雌ファスナ５ｂは、第３のパネル３の包装袋Ａ内部側に形成されている。雄ファスナ５ａおよび雌ファスナ５ｂは所定の力を加えることで離間させることが可能であり、離間させた後に、再び嵌合させることが可能である。なお、雄ファスナ５ａと雌ファスナ５ｂとの離間および嵌合は何度でも繰り返し行うことができる。
【００１７】
ミシン目６は、本発明に係る切り開き手段の一例であり、第１のパネル１の上端と雄ファスナ５ａとの間と、第３のパネル３の雌ファスナ５ｂと頂角部１０との間とに形成されている。これら２つのミシン目６を切り離すと、頂角部１０を含む所定の部位を切り離すことができる。この所定の部位は、第１のパネル１における頂角部１０とミシン目６との間の部分と、第３のパネル３における頂角部１０とミシン目６との間の部分である。
【００１８】
手提げ部７は、第１ないし第４のパネル１，２，３，４とは別のフィルム部材を帯状にしたものであり、第３のパネル３と第４のパネル４とに挟まれる位置に配置されている。この手提げ部７の、図６における左右方向の端が、それぞれ第１のパネル１および第２のパネル２の左側縁８ａまたは右側縁８ｂに接合されている。図６に示すように、この手提げ部７の中央部を持ち上げることで、包装袋Ａを持ち上げやすくなる。
【００１９】
封入口９は、第１のパネル１の下端および第２のパネル２の下端に挟まれた開放部であり、ここからトイレットペーパＢを包装袋Ａ内に入れることができる。トイレットペーパＢを入れたあと、第１のパネル１の下端および第２のパネル２の下端を封止し、封止部１２を形成した状態を図３に示している。この封入口９の広さは、包装袋Ａ内部の断面積と同等の広さになるので、比較的かさばる物品でも、包装袋Ａ内に収容可能な大きさであれば、入れるのが容易である。なお、封止部１２の形成は、たとえば、第１のパネル１の下端および第２のパネル２の下端を熱溶着することで行われる。
【００２０】
このような包装袋Ａの製造方法について、図７〜１０を参照して以下に説明を行う。
【００２１】
包装袋Ａは、長手方向にそって所定の速度で移動するフィルム部材１３に以下の加工を加えることで製造される。
【００２２】
まず、図７に示すように、フィルム部材１３に雄ファスナ５ａと雌ファスナ５ｂとを貼り付け、ミシン目６を形成する。フィルム部材１３は、図７における左右方向を幅方向とし、紙面垂直方向を長手方向としている。雄ファスナ５ａ、雌ファスナ５ｂとミシン目６とは、フィルム部材１３の長手方向に沿ってそれぞれお互いに平行に延びるように形成される。フィルム部材１３の中央から右寄りに雄ファスナ５ａは貼り付けられ、それよりも中央寄りに雌ファスナ５ｂは貼り付けられる。ミシン目６は、雄ファスナ５ａと雌ファスナ５ｂとの間に所定の間隔を隔てて２本形成される。雄ファスナ５ａおよび雌ファスナ５ｂの貼り付けは熱溶着や超音波シールによって行われる。
【００２３】
次に、図８に示すように、雄ファスナ５ａおよび雌ファスナ５ｂが内側にくるように、フィルム部材１３を中央で折り曲げる。この折り曲げ作業の際に、フィルム１３の幅方向における両端部が揃うように折り曲げられ、この両端同士の隙間が封入口９となる。
【００２４】
次に、図９に示すように、フィルム部材１３の折り曲げられた部分を封入口９に向けて押し込むように折り曲げ、折り込み部１１を形成する。なお、この折り曲げ作業において、２つのミシン目６の間が折り曲げられている。この折り曲げ作業により、フィルム部材１３から第１ないし第４のパネル１，２，３，４が形成される。また、この折り曲げ作業時に、雄ファスナ５ａと雌ファスナ５ｂとを嵌合させておく。
【００２５】
次に、図１０に示すように、手提げ部７を第３のパネル３と第４のパネル４との間に挿入する。なお、手提げ部７は、フィルム部材１３と同じ長手方向に沿って延び、同じ速度で長手方向に沿って移動している。この手提げ部７は図１０では折り込み部１１同様に折り曲げられた形状であるが、他の形状であっても構わない。
【００２６】
次に、第１ないし第４のパネル１，２，３，４および手提げ部７の、フィルム部材１３の長手方向に沿う所定の間隔ごとに、フィルム部材１３の幅方向に延びる熱溶着部を形成する。この熱溶着部の形成は、たとえば、フィルム部材１３の幅方向に延びており、第１ないし第４のパネル１，２，３，４および手提げ部７を挟んで向かい合う一対のヒータによって第１のパネル１と第２パネル２との両側から加熱し溶着させることで行われる。この熱溶着部においては、第１のパネル１、第２のパネル２、第３のパネル３、および第４のパネル４が接着されているとともに、手提げ部７も第３のパネル３と第４のパネル４との間に挟まれて接着されている。
【００２７】
最後に、フィルム部材１３の長手方向に沿って複数形成された上記熱溶着部の各々において、第１ないし第４のパネル１，２，３，４および手提げ部７をフィルム部材１３の幅方向に沿って裁断する。裁断された熱溶着部は、包装袋Ａにおける左縁部８ａまたは右側縁８ｂとなる。このような製造方法によれば、手提げ部７の接着を上記熱溶着部の形成時に同時に行うことができる。さらに、雄ファスナ５ａと雌ファスナ５ｂとをそれぞれ別々にフィルム部材１３に溶着することができ、その溶着作業において雄ファスナ５ａと雌ファスナ５ｂとが不当に溶着してしまうおそれがない。これにより、包装袋Ａを円滑に連続的に複数製造することができる。
【００２８】
このような包装袋Ａの作用について以下に説明を行う。
【００２９】
上記のような構成の包装袋Ａは、図５に示すように、２つのミシン目６を切り離して頂角部１０付近を取り除くと、雄ファスナ５ａと雌ファスナ５ｂとを露出させることが出来る。この後に、雄ファスナ５ａと雌ファスナ５ｂとを引き離すことで包装袋Ａを開封し、内部のトイレットペーパＢを取り出すことができる。さらに、トイレットペーパＢの一部を取り出したあと、雄ファスナ５ａと雌ファスナ５ｂとを再度嵌合させることで、再び包装袋Ａを密閉状態にすることができる。雄ファスナ５ａと雌ファスナ５ｂとは何度でも着脱できる構造なので、この包装袋Ａでは、何度でも開封状態と密閉状態とを切り替えることができる。したがって、包装袋Ａ内に残ったトイレットペーパＢを長期間保管する場合でも、湿気、ほこり、虫などから守ることができる。さらに、トイレットペーパＢのかわりに米などを収納する場合には、不用意にこぼれたりすることを防ぐこともできる。
【００３０】
また、この包装袋Ａは、最初の開封前において、ミシン目６から包装袋Ａ内に入り込んだ空気等が雄ファスナ５ａおよび雌ファスナ５ｂによって遮られるので、密閉状態がより好ましく保たれる。
【００３１】
さらに、包装袋Ａにおいては、谷部１１ａにおける第３のパネル３と第４のパネル４との傾きが大きくなるように折り込み部１１を変形させることで、第１のパネル１と第２のパネル２との間隔を大きくすることができる。したがって、包装袋Ａの容量を大きくすることができ、より多くのものを収容することができる。
【００３２】
本発明に係る包装袋は、上述した実施形態に限定されるものではない。たとえば、上記の実施形態のように左側縁８ａおよび右側縁８ｂにおいて直接第１のパネル１と第２のパネル２とが接着されている場合に限らず、間に所定の大きさのフィルムを挟んでいてもよい。また、ミシン目６は第１のパネル１側と第３のパネル３側のいずれか一方にしかなくても構わない。
【００３３】
さらに、雄ファスナ５ａと雌ファスナ５ｂとは互いに入れ替えてもかまわないし、雄ファスナ５ａおよび雌ファスナ５ｂとして、上記の実施形態に挙げた形状以外のものでも開閉自在のものであれば用いることができる。
【図面の簡単な説明】
【００３４】
【図１】本発明に係る包装袋の一例を示す平面図である。
【図２】図１のII-II線に沿う断面図である。
【図３】図１に示す包装袋にトイレットペーパを収納した状態を示す斜視図である。
【図４】図３のIV-IV線に沿う断面図である。
【図５】図４の包装袋のミシン目を切った状態を示す断面図である。
【図６】図１の包装袋の手提げ部の使用例を示す平面図である。
【図７】図１の包装袋の雄ファスナおよび雌ファスナとミシン目とを形成する工程を示す断面図である。
【図８】図１の包装袋の第１のパネルと第２のパネルとを形成する工程を示す断面図である。
【図９】図１の包装袋の第３のパネルと第４のパネルとを形成する工程を示す断面図である。
【図１０】図１の包装袋の手提げ部を形成する工程を示す断面図である。
【図１１】従来の包装袋を示す斜視図である。
【符号の説明】
【００３５】
Ａ          包装袋
Ｂ          トイレットペーパ
１          第１のパネル
２          第２のパネル
３          第３のパネル
４          第４のパネル
５ａ        雄ファスナ
５ｂ        雌ファスナ
６          ミシン目
７          手提げ部
８ａ        左側縁
８ｂ        右側縁
９          封入口
１０        頂角部
１１        折り込み部
１１ａ      谷部
１２        封止部
１３        フィルム部材  
【図１】
2008143579.tif 000003
【図２】
2008143579.tif 000004
【図３】
2008143579.tif 000005
【図４】
2008143579.tif 000006
【図５】
2008143579.tif 000007
【図６】
2008143579.tif 000008
【図７】
2008143579.tif 000009
【図８】
2008143579.tif 000010
【図９】
2008143579.tif 000011
【図１０】
2008143579.tif 000012
【図１１】
2008143579.tif 000013